(57)【要約】      （修正有）【課題】ユーザがクラブを把持してボールにアドレスするときに、ライ角がより小さく、より大きく、かつ最適であるときに、ユーザに視覚的に指示するインジケータを提供する。【解決手段】インジケータ２０はゴルフクラブのための可撓性エラストマーグリップ１０の上面１４に有する。端部キャップ１８上のインジケータは、リーン角が中立であるときに、又は中立から少なくとも５度（５°）だけ左側若しくは右側であるときに、ユーザに視覚的に指示する。可視インジケータは、変化するホログラフィック画像２２又は反射性コーティングのいずれかであってもよい。また、可撓性グリップ上の端部キャップ内のリーン角及びライ角の組み合わされたインジケータを提供する。【選択図】図１
2020018848.tif 000002
【特許請求の範囲】
【請求項１】
ゴルフクラブシャフトのための可撓性グリップであって、
（ａ）実質的に閉じた端部、並びに前記クラブの前記シャフトの上で受容されるように構成され、かつ前記クラブの前記シャフトの上で受容されたときに、前記クラブのブレードヘッドの面に対して実質的に垂直な上側側部、及び前記上側側部とは反対側を向いている下側側部を有する開いた端部を有する、エラストマー材料で形成された管状部材と、
（ｂ）（ｉ）前記管状部材の前記上側側部、及び（ｉｉ）前記実質的に閉じた端部のうちの１つの上に配設された挿入部であって、前記挿入部が、前記ユーザが（ｉ）最適なライ角、及び（ｉｉ）最適なリーン角のうちの１つで前記クラブにアドレスしたときに、第１のユーザ可視画像を表示し、前記ユーザが最適値よりも小さいライ角及びリーン角のそれぞれの１つで前記クラブにアドレスしたときに、前記第１の画像とは異なる第２のユーザ可視画像を表示し、かつ前記ユーザが最適値よりも大きいライ角及びリーン角のそれぞれの１つで前記クラブにアドレスしたときに、前記第１及び第２の画像とは異なる第３のユーザ可視画像を表示する、挿入部と、を備える、可撓性グリップ。
【請求項２】
前記上側側部及び実質的に閉じた端部のそれぞれの１つが、前記ユーザが前記最適値よりも少なくとも２度（２°）だけ小さいライ角及びリーン角のそれぞれの１つで前記クラブにアドレスしたときに、前記第２の画像を表示し、かつ前記ユーザが前記最適値よりも最小の２度（２°）だけ大きいライ角及びリーン角のそれぞれの１つで前記クラブにアドレスしたときに、前記第３の画像を表示する、挿入部を含む、請求項１に記載のグリップ。
【請求項３】
前記第１、第２、及び第３の画像が、異なるグラフィックデザインを含む、請求項１に記載のグリップ。
【請求項４】
前記実質的に閉じた端部が、端部キャップを含む、請求項１に記載のグリップ。
【請求項５】
前記挿入部が、前記端部キャップ及び前記上側側部のうちの一方の上に配設される、請求項４に記載のグリップ。
【請求項６】
ゴルフクラブシャフトのための可撓性グリップであって、
（ａ）実質的に閉じた端部、並びに前記クラブの前記シャフトの上で受容されるように構成され、かつ前記クラブの前記シャフトの上で受容されたときに、前記クラブのブレード／ヘッドの面に実質的に垂直な上側側部、及び前記下側側部とは反対側の下側側部を有する開いた端部を有する、エラストマー材料で形成された管状部材と、
（ｂ）前記管状部材の前記上側側部に配設された挿入部であって、前記挿入部が、前記ユーザが最適値よりも小さい前記クラブのライ角にアドレスしたときに、第１の個別ユーザ可視画像を表示する第１の個別領域、及び前記ユーザが最適値よりも大きいライ角の中に前記クラブにアドレスしたときに、画像を表示する第２の個別領域を有し、第１及び第２の個別ユーザ可視画像の両方が、前記ユーザが最適なライ角で前記クラブにアドレスしたときに表示される、挿入部と、を備える、可撓性グリップ。
【請求項７】
ゴルフクラブシャフトのための可撓性グリップであって、
（ａ）実質的に閉じた端部、並びにゴルフクラブの前記シャフトの上で受容されるように構成され、かつ前記クラブの前記シャフトの上で受容されたときに、前記クラブのブレード／ヘッドの面に実質的に垂直な上側側部、及び前記上側側部とは反対側の下側側部を有する開いた端部を有する、エラストマー材料で形成された管状部材と、
（ｂ）（ｉ）前記管状部材の前記上側側部、及び（ｉｉ）前記実質的に閉じた端部のうちの一方に配設された挿入部であって、前記挿入部が、前記クラブシャフトの前記ライ角及び前記リーン角の漸進的変化をグラフィックで表示するユーザ可視画像を有し、前記画像が、前記ライ角及び前記リーン角のそれぞれの１つが最適であり、最適値よりも小さく、かつ最適値よりも大きいときにグラフィックで指示する、挿入部と、を備える可撓性グリップ。
【請求項８】
前記画像が、前記ライ角が最適値よりも小さいか又はそれよりも大きい量をグラフィックで表示する、請求項７に記載のグリップ。
【請求項９】
ゴルフクラブシャフトのための可撓性グリップであって、
（ａ）実質的に閉じた端部、及び前記クラブの前記シャフトの上に受容されるように構成された開いた端部を有する、エラストマー材料から形成された管状部材と、
（ｂ）前記実質的に閉じた端部上に配設された挿入部であって、前記挿入部が、前記ユーザが一定のライ角、並びに最適なライ角及びリーンで前記クラブにアドレスしたときに、第１のユーザ可視画像を、前記リーン角及びライ角のうちの一方が最適値よりも大きいときに、前記第１のユーザ可視画像とは異なる第２のユーザ可視画像を、かつ前記リーン角及びライ角のうちの一方が最適値よりも小さいときに、前記第１及び第２のユーザ可視画像とは異なる第３のユーザ可視画像を、表示する、挿入部と、を備える、可撓性グリップ。
【請求項１０】
前記実質的に閉じた端部が、端部キャップを含み、前記挿入部が、前記端部キャップ内に配設されている、請求項９に記載の可撓性グリップ。
【発明の詳細な説明】
【背景技術】
【０００１】
本開示は、ゴルフクラブのシャフト上で用いられる可撓性グリップに関する。このようなグリップは、通常、エラストマー材料で成形されており、ユーザによる把持を容易にするために、様々な形状及び表面の質感を用いている。しかしながら、ゴルフクラブの使用のより重要な態様の１つは、ユーザがバックスイングを開始する前に、クラブでゴルフボールにアドレスする様式及び位置である。クラブが所与のクラブブレード又はヘッドに対して適切に位置決めされない場合、クラブ上のユーザの手の位置により、手際の悪いバックスイングが開始されることになり、このため最適なスイングパスを満たさない。全てのユーザは、アドレス位置で個人的性質を示し、これによりユーザは悪い手の位置に起因する不利益を被ることがある。更に、一貫したアドレス位置を達成できないことは、クラブヘッド又はブレードとボールとの不適切な衝撃をもたらし、ゴルフボールの望ましくない軌道を生じさせる、スイングの変動性につながる。
【０００２】
適切かつ一貫したバックスイングを生み出すための重要な要因のうちの２つは、バックスイングの前にユーザによってアドレスされるゴルフクラブ上のクラブのライ角及びリーン角であることが分かっている。ライ角は、クラブシャフトと水平線との間で測定されるものであり、リーン角は、クラブが把持されてボールがアドレスされたときの、ユーザの手首の等角度の最適な位置からの横角の左又は右の偏差として測定される。したがって、ユーザが最適なライ角及びリーン角で、かつ一貫した様式で、クラブでボールにアドレスしたことをユーザに指示して、クラブによる衝撃の際のプレーヤーのスタンス及びボールの目標線に関連する、望ましいボールパスを生み出す非常に再現性のあるダウンスイングをもたらすバックスイングを開始するような方法又は手段を見出すことが長い間望まれている。
【発明の概要】
【０００３】
本開示は、ユーザが、バックスイングを開始する前に、クラブでボールをアドレスするときに、クラブシャフトのライ角及びリーン角をユーザに指示することについて上記の問題に対する解決策を提供する。１つの変形例では、本開示は、クラブを把持してボールにアドレスした後に、クラブシャフトのライ角についての可視指示をユーザに提供するように、グリップの上面にインジケータを有する可撓性グリップを提供する。ライ角インジケータは、クラブシャフトのライ角がユーザによって変えられるにつれて変化する移動画像又は反射領域を提供する。ライ角が最適値よりも小さい場合、ユーザは、ある特定の画像又は反射を見るであろう。ライ角が最適である場合、ユーザは、異なる画像又は反射のうちの一方を見ることになり、そのいずれかが、異なる場所にあってもよく、ライ角が最適値よりも大きい場合、ユーザは、別の画像又は反射を見ることになり、そのいずれかが、小さい方のライ角画像とは異なり、かつグリップ上の異なる場所にあってもよい。
【０００４】
本開示のライインジケータの１つの変形例では、クラブシャフトのライ角の異なる位置に対する異なるホログラフィック画像を表示する挿入部によって、可視的な指示をユーザに提供してもよい。これらのホログラフィック画像は、移動グラフィック画像、画像の色の変化、又はライ角の異なる値に対する異なる画像を含んでもよい。
【０００５】
本開示のライ指示のインジケータの別の変形例では、クラブを把持してゴルフボールにアドレスした後に、塗装され得る反射コーティングが、ユーザに可視である様式でグリップの上面に設けられ、ここで塗料は、その上の異なる位置若しくは場所において反射性であり、又はライ角がユーザによって変えられるにつれて色が異なる。
【０００６】
本開示のグリップは、端部キャップを有してもよく、別の変形例では、リーンインジケータは、可撓性グリップの端部キャップ上に挿入部を含み、可視画像は、ユーザがクラブを把持してボールにアドレスするときに、最適値、並びに最適なリーン角からの左及び右の偏差を指示するように変化する。
【図面の簡単な説明】
【０００７】
【図１】ホログラフィック挿入部がクラブシャフトの最適なライ角を指示する位置に画像を表示する、ゴルフクラブのシャフト上に示された可撓性グリップを描画する。
【図２】図１と同様に、クラブシャフトのライ角が最適値よりも大きい状態の、インジケータ上のホログラフィック画像の位置を示す図である。
【図３】図１と同様に、クラブシャフトのライ角が最適値よりも小さい状態の、インジケータ上のホログラフィック画像の位置を示す図である。
【図４】図１と同様に、ゴルフクラブシャフトのグリップ上に位置決めされたときのインジケータの別の変形例を示す図である。
【図５】図４のインジケータの拡大図であり、クラブシャフトが最適値よりも大きくアドレスされたときのホログラフィック画像の位置を実線で示し、クラブシャフトが最適なライ角よりも小さく移動されたときのホログラフィック画像の位置を破線で示す。
【図６】図５と同様に、最小バーグラフィック位置として表示されている最適値と共に、ライ角を示すために漸進的に移動する移動バーグラフィック画像を表示しているときのインジケータを示す図である。
【図７】図４のインジケータの図であり、グラフィック画像が、ライ角が最適値よりも大きいときに、ある位置に実線で可視であるテキスト、及びライ角が最適値よりも小さいときに、別の位置に破線で可視であるテキストを含む変形例を示す。
【図８】反射性コーティングを用いるライ角インジケータの別の変形例の図である。
【図９】リーン角が中立であるときの画像を示す、端部キャップにリーン角インジケータを用いる変形例について、ユーザの視点からの図である。
【図１０】図９と同様に、リーン角が中立から正の方向にあるときの、その画像を示す図である。
【図１１】図９と同様に、リーン角が中立から負の方向にあるときの、画像を示す図である。
【図１２】図９と同様に、リーン角が中立であるときの中心合わせされた画像を示すリーン角インジケータの別の変形例の図である。
【図１３】図９と同様に、リーン角が中立から正の方向にあるときに、中心の左側に移動された画像を示す図である。
【図１４】図９と同様に、画像が、リーン角が負の方向にあるときに、中心の右側に移動された画像を示す図である。
【図１５】リーン角及びライ角の両方を指示する組み合わせインジケータを有するグリップの別の変形例の斜視図である。
【図１６】中立のリーン角及び中立のライ角の位置にある、図１５のインジケータの拡大図である。
【図１７】図１６と同様に、クラブシャフトが、正のライ角と、右側に正のリーン角と、を有するインジケータを示す図である。
【図１８】図１６と同様に、クラブが、左側に負のリーン角と、負のライ角と、を有するインジケータを示す図である。
【発明を実施するための形態】
【０００８】
図１〜３を参照すると、本開示の可撓性グリップは、概して１０で指示され、ゴルフクラブシャフト１２の端部上に配設されて示され、かつ上面１４と、下面１６と、を有する。上面１４は、クラブシャフト１２上に配向され、そのため上面１４が、クラブを把持してゴルフボールにアドレスするときに、ユーザにとって明確に可視であるように、クラブヘッド又はブレードの方向に面していることが理解されるであろう。本実践では、クラブヘッドの面に対して実質的に垂直な上面１４を配向することが望ましい。変形例１０では、グリップは、可撓性グリップ１０よりも堅いか又は硬いエラストマー又はプラスチック材料で形成され得る端部キャップ１８を備えている。
【０００９】
概して２０で示されるインジケータが、グリップの上面１４上に設けられ、かつユーザがクラブを把持してゴルフボールにアドレスするために可撓性グリップ１０を把持したときに、ユーザに可視のままであるように、端部キャップ１８に近接して位置付けられる。本実践におけるインジケータ２０は、内部に配設されたホログラフィック画像を有する挿入部を用いるタイプのいずれかであってもよく、又はインジケータは、アルファ（α）で示されるライ角に応じて差異可視画像をユーザに提供するように、異なる反射特性を有する表面コーティングを含んでもよい。図１〜図３に示される変形例では、インジケータは、ホログラフィック画像を有するタイプを有し、図１に示されるように、画像２２は、角度アルファ（α）が７１度（７１°）として示される最適値にあるときに、インジケータ２０上の中心に位置付けられる位置で可視である。角度アルファ（α）は、用いられるクラブのタイプに応じて、最適な依存メイのための他の値を有していてもよい。
【００１０】
図２を参照すると、ホログラフィック画像２２は、角度アルファが最適値よりも少なくとも所定の量だけ大きいときに、インジケータ２０内で端部キャップ１８に近い位置まで上方に移動したものとして示され、本実践における所定の量は、図２に示されるように、少なくとも２度（２°）であり、ここでアルファ（α）は、７３度（７３°）である。したがって、本実践では、インジケータ２０は、ユーザがクラブを把持してゴルフボールにアドレスしたときに、画像を上方位置に移動させることになり、そのため角度アルファ（α）が、最適値から２度（２°）増加する。
【００１１】
図３を参照すると、ホログラフィック画像２２は、図１の中立部分よりも端部キャップ２２から遠い位置に示されており、これは、本実践において最適値よりも２度（２°）の角度である所定の量だけ小さい、クラブシャフト１２の角度アルファ（α）を表す。したがって、図３は、クラブシャフトがユーザによって把持され、かつ６９度（６９°）のライ角でゴルフボールにアドレスしたときの画像２２の位置を示す。
【００１２】
図４を参照すると、概して３０で指示される本開示の別の変形例は、上面３２と、下面３４と、を有するエラストマー材料の可撓性グリップを含み、上面３２が、クラブヘッド又はブレードの面に実質的に垂直であるように配向された、ゴルフクラブのシャフト３６上に受容されるものとして示されている。クラブシャフト３６は、表記アルファ（α）によって指示されるライ角によって水平に傾斜して示されている。ライ角インジケータは、概して３９で指示され、端部キャップ３８を有するものとして示されるグリップの上端に近接して表面３２上に配設される。
【００１３】
図５を参照すると、概して４１で示されるインジケータの１つの変形例が示されており、実線で示される画像４２は、角度アルファ（α）が最適値よりも大きいときに、インジケータ４１の上側領域でユーザに対して現れ、破線で示されるような画像４２は、アルファが最適値よりも小さいときに、インジケータ４１上のより低い新しい場所に移動される。ライ角アルファ（α）が最適である場合、画像４２は、両方の場所で可視である。あるいは、画像４２は、ライ角アルファ（α）が最適な角度にあるときに、インジケータの中心位置でユーザに可視的に表示されてもよい。
【００１４】
図６を参照すると、概して４０で示されるインジケータの別の変形例が図示されており、バー４４のような一連のグラフィックインジケータは、異なる位置へと漸進的に移動し、かつインジケータ上でバーの長さを変化させている。図６の変形例では、バー４４は、ライ角が最適値よりも大きいときに、最大の長さでインジケータの上側部分に位置決めされて表示され、角度アルファ（α）が減少して最適値に近づくにつれて、バー４４の長さは減少し、かつインジケータ４０の中心に向かって移動する。角度アルファ（α）が最適値にあるときに、バー４４は、最短の長さを有し、かつインジケータ４０の中心位置にあるように示される。ライ角アルファ（α）が最適値よりも小さくなるまで減少するにつれて、バーは、中心位置の右側、すなわちインジケータ４０の下側部分に現れ、かつライ角が更に減少するにつれて長さが増加する。したがって、図６の変形例では、ユーザは、ライ角アルファ（α）が、ユーザがクラブシャフトを移動させることから変化するにつれて、移動するバーグラフを見る。
【００１５】
図７を参照すると、概して４３で示されるインジケータの別の変形例は、ライ角アルファ（α）が最適値よりも大きいときに、インジケータ４３の上側領域に実線で可視であるテキストを含む画像４６である。画像４６は、下側アルファ（α）の角度が最適値よりも所定の量、例えば２度（２°）だけ小さいときに、インジケータ４３の下側領域に破線で示されるように現れる。必要に応じて、ホログラフィック画像は、ライ角アルファが所定の量だけ変化したときに、色が変化するタイプのものであってもよい。ライ角アルファ（α）が最適値にあるときに、実線及び破線で示される画像４６の両方が、ユーザに可視になるであろう。
【００１６】
図８を参照すると、インジケータ２０、４０の代替の変形例が図示されており、ここで反射材料のコーティングが用いられ、その特定の領域は、各々、個別の反射特性を有する。図８の変形例では、５０で示されるインジケータの上側の３分の１は、暗い外観を与える反射材料でコーティングされており、かつライ角アルファ（α）が例えば５度（５°）のような、最適値よりも所定の量だけ大きいことを指示している。クラブシャフトのライ角アルファが最適値になると、図８のインジケータの中心領域５２に示されるように、ユーザは、インジケータの反射光を見て、反射光は、影の中でより明るく示されており、かつ画像５０とは異なる色を有していてもよい。クラブシャフトのライ角アルファ（α）が最適値よりも所定の量だけ小さい場合、ユーザは、インジケータの下側領域５４がより明るい外観で光を反射していると見ており、かつ別の異なる色を有していてもよい。
【００１７】
本実践では、図８のインジケータに、内部に領域５０、５２、５４の異なる反射特徴の各々の反射粒子を埋め込んだコーティングを備えることで十分であることが分かった。
【００１８】
本実践において、内部に多層フレークを分散させたクリアペイントを含むペイントでコーティングを形成することが十分であることが分かった。本実践では、コーティングは、反射性フレークを複数の層に組み合わせてもよく、これにより異なる角度から見たときに、表面が色を変化させるように現れることが可能になる。
【００１９】
図９を参照すると、本開示のグリップの別の変形例は、概してインジケータを有する挿入部を有するグリップの上端部に取り付けられた端部キャップ６２を有する６０で指示され、このインジケータは、概してクラブのユーザにホログラフィック画像を提示するタイプの６４で指示され、ここでユーザに可視である画像は様々であり、かつユーザがクラブを把持してゴルフボールを持っているときの、中立位置からのクラブの横又は左右の傾斜に依存する。上述したように、横傾斜角はリーン角と呼ばれる。上述したように、これは、ユーザがバックスイングを開始する前にクラブを把持してボールにアドレスするときに、クラブのリーン角を中立位置に維持するように設計されている。図９を参照すると、テキスト文字「Ｇ」のようなユーザに可視であるホログラフィック画像は、参照番号６６によって示されるように中心の位置の左側に表示され、参照番号６８によって指示される「Ｐ」のような第２のテキスト文字は、中心の右側への位置に表示され、両方とも、クラブシャフトが中立位置にあるという指示として同時にユーザに可視である。本実践では、それは、クラブシャフトが中立位置のいずれかの側で、５度（５°）よりも小さい角度で傾斜しているときに、テキスト文字６６及び６８の両方を可視化するようにすると十分であることが分かった。
【００２０】
図１０を参照すると、インジケータ６５は、グリップを表す正の５度（５°）のリーン角を有するクラブシャフトが図９の中立位置の左側に位置付けられた状態で示されている。図１０のグリップ６０の位置において、少なくとも５度（５°）の正のリーン角で、インジケータ６４は、ユーザに不可視であるテキスト画像６８と共に、インジケータの中心の場所の左側に可視文字６６をユーザに表示する。
【００２１】
図１１を参照すると、インジケータ６４は、アドレス時のリーン角が少なくとも負の５度（−５°）の値を有するように、インジケータ６４の中心の右側に文字６８のホログラフィック画像をユーザに表示し、左手テキスト文字６６は、ユーザにとって不可視のままである。リーン角（図１１）は、グリップ６０が中立位置の右側に少なくとも５度（５°）だけ移動される端部を表す。
【００２２】
図１２を参照すると、本開示のグリップの別の変形例は、概して７０で示され、かつゴルフクラブのシャフト７２に取り付けられて示されている。グリップは、その上端部に端部キャップ７４を有し、そのキャップは、その上面に配設された、概して７６で指示されるリーン角インジケータ７６を有する。図１２を参照すると、インジケータ７６は、挿入部７６の中心に位置付けられているホログラフィック画像７８を表示し、それによってクラブシャフトが中立又は中心合わせされた位置にあることを指示する。
【００２３】
図１３を参照すると、インジケータ７６のホログラフィック画像は、リーン角が少なくとも５度（５°）の量だけ正であることを指示する、ユーザに可視であるべきインジケータの中心の位置の左側に移動している。
【００２４】
図１４を参照すると、インジケータ７６のホログラフィック画像は、インジケータの中心の位置の右側に移動しており、右側に、クラブシャフトのリーン角が少なくとも５度（５°）であることをユーザに視覚的に指示している。
【００２５】
必要に応じて、ホログラフィック画像は、ライ角又はリーンの変化に応じて変化する、異なる色の文字又は異なる色の背景を用いてもよい。
【００２６】
図１５を参照すると、本開示の可撓性グリップの別の実施形態が、概して８０で指示されており、かつゴルフクラブのシャフト８１上に受容されるように図示されている。グリップ８０は、その上端部又は突き合わせ端部に配設された挿入部８２を有し、グリップは、挿入部が端部キャップ内に受容された端部キャップ８４を含んでもよい。挿入部は、クラブを把持してクラブでゴルフボールにアドレスするときに、リーン角とライ角との両方の偏差についての可視画像をユーザに提供するインジケータを含む。本実践では、インジケータ８２にホログラフィック画像を用いることが便利であった。インジケータ８２は、以下に説明するように、ライ角及びリーン角の両方の偏差に応じて、移動可能な画像８６を提供する。参照を明確にするために、線Ａ−Ａは、ライ角を変えるためのクラブシャフト及びグリップの移動の方向を指示する。したがって、リーン角の変動は、図１５の８５で示される矢印を有する曲線で指示されるように、線Ａ−Ａに垂直な方向にあることが理解されるであろう。グリップの中立から左方向への移動は、リーン角の正の偏差として指示される一方で、右方向への移動は、リーン角の負の偏差として指示される。同様に、上向き方向の中立位置からのライ角の偏差は、ライ角の正の偏差として示され、下向き方向の移動は、図１５の曲線８７によって示されるように、ライ角の負の偏差として指示される。参照のために、ボールの目標線又はパスの方向は、図１５においてＴＬで示される破線によって指示される。
【００２７】
図１６を参照すると、インジケータ８２上のユーザ可視画像８６の位置は、その上の線Ａ−Ａに中心合わせされ、かつ線Ａ−Ａに対する直角の移動に対して、中心を合わせされて指示される。
【００２８】
図１７を参照すると、ユーザ可視画像は、インジケータ８２の右上の四分円に移動しており、この位置では、ライ角の正の偏差及びリーン角の負の偏差を指示している。
【００２９】
図１８を参照すると、ユーザ可視画像８６は、インジケータの左下の四分円の位置に示されており、この位置では、インジケータは、リーン角の偏差が正であり、かつライの偏差が負であることを示している。ユーザ可視画像がインジケータ８２の左上の四分円内の示されていない位置にある場合のこと、及びそのような位置は、リーン角が正であり、かつライ角が正であることをユーザに示すことになることが理解されるであろう。更に、示されていない可視画像８６がインジケータ８２の右下の四分円内にある場合、画像は、リーン角が負であること、及びライ角が負であることをユーザに示すことになることが理解されるであろう。
【００３０】
本開示は、クラブヘッド又はブレードに面するグリップの上面にインジケータを有するゴルフクラブ用の可撓性グリップを記載し、これは、ライ角が最適な位置にあるか、又は最適値よりも小さいか、若しくは大きいかどうかを、クラブを把持してボールにアドレスするときにユーザに視覚的に指示する。ライ角インジケータは、グリップの上面に設けられたコーティングにホログラフィック画像又は反射材料を用いてもよい。別の変形例では、リーン角インジケータが、グリップの端部キャップに設けられている。リーン角インジケータは、ホログラフィック画像を利用して、グリップのキャップ端部が中立位置にあるかどうか、又はクラブシャフトが中立の左側又は右側に傾斜しているかどうかを指示する。別の変形例では、ライ角とリーン角との両方について中立からの偏差をユーザに指示する組み合わせインジケータが、端部キャップに設けられている。
【００３１】
部品リスト
１０    可撓性グリップＧ／Ｔ
１２    クラブシャフト
１４    グリップの上面
１６    グリップの下面
１８    端部キャップ
２０    インジケータＧ／Ｔ
２２    画像
２４    
２６    
２８    
３０    グリップＧ／Ｔ
３２    上面
３４    下面
３６    クラブシャフト
α      ライ角
３８    端部キャップ
４０    インジケータＧ／Ｔ
４１    インジケータＧ／Ｔ
４２    画像
４３    インジケータＧ／Ｔ
４４    画像グラフバー
４６    ロゴ画像
５０    上側反射領域
５２    中心画像領域
５４    下側画像領域
６０    グリップＧ／Ｔ
６２    端部キャップ
６３    シャフト
６４    挿入部ｗ／インジケータＧ／Ｔ
７０    グリップＧ／Ｔ
７２    シャフト
７４    キャップ
７６    インジケータＧ／Ｔ
７８    画像
８０    グリップＧ／Ｔ
８２    挿入部
８４    キャップ
８５    リーン角線
８６    画像
８７    ライ角線
Ａ−Ａ  縦軸（ライα）
【図１】
2020018848.tif 000003
【図２】
2020018848.tif 000004
【図３】
2020018848.tif 000005
【図４】
2020018848.tif 000006
【図５】
2020018848.tif 000007
【図６】
2020018848.tif 000008
【図７】
2020018848.tif 000009
【図８】
2020018848.tif 000010
【図９】
2020018848.tif 000011
【図１０】
2020018848.tif 000012
【図１１】
2020018848.tif 000013
【図１２】
2020018848.tif 000014
【図１３】
2020018848.tif 000015
【図１４】
2020018848.tif 000016
【図１５】
2020018848.tif 000017
【図１６】
2020018848.tif 000018
【図１７】
2020018848.tif 000019
【図１８】
2020018848.tif 000020